(57)【要約】      （修正有）【課題】受粉の作業効率を改善するとともに花粉を無駄に消費することを防止する花粉交配機を提供する。【解決手段】花粉交配機１０は、長尺の作業用柄１２と、作業用柄１２の上端部に設ける花粉収納部１４、作業用柄１２に取り付ける受粉用梵天１６、花粉収納部１４内の花粉１８を受粉用梵天１６上に導出する花粉用導管２０とを備えるものである。花粉用導管２０の開口部には、その開口部を閉じる開閉弁２８が取り付けられている。花粉交配機１０に振動を与えると、開閉弁２８が振動し、花粉用導管２０内に貯蔵される花粉１８を放出する放出口３０が形成される。放出口３０から放出された花粉１８は受粉用梵天１６に付着する。【選択図】図４
2013034427.tif 000002
【特許請求の範囲】
【請求項１】
長尺の作業用柄と、作業用柄の上端部に設ける花粉収納部と、作業用柄に取り付ける受粉用梵天、花粉収納部内の花粉を受粉用梵天上に導出する花粉用導管とを備え、前記花粉用導管の開口部に、振動によって花粉用導管内に貯蔵された花粉を放出する放出口を形成する開閉弁を設けることを特徴とする花粉交配機。
【請求項２】
請求項１記載の花粉交配機に振動発生装置を備え、振動発生装置の振動によって前記放出口を形成することを特徴とする花粉交配機。
【請求項３】
前記振動発生装置が、振動モータであることを特徴とする請求項２記載の花粉交配機。
【請求項４】
前記振動発生装置が、前記作業用柄にシーソー状に可動する板と、その板の一端を作業用柄に付勢するバネとからなるものであることを特徴とする請求項２記載の花粉交配機。
【発明の詳細な説明】
【技術分野】
【０００１】
本発明は、雌しべに花粉を付着させる花粉交配機に関するものである。
【背景技術】
【０００２】
リンゴ等を生産する場合、結実を確保するためにリンゴ等の花（雌しべ）に他品種の花粉を人口的に受粉させる。この受粉は、梵天（ぼんてん、細い竹製の棒の先端に羽毛を束ね取り付けたもの）の羽毛に受粉させる花粉を付けて、その梵天を開花した花一つ一つに接触させ、花の雌しべに花粉を付ける作業である。
従来の梵天を使った受粉作業は、はしごを掛け乗り降りして作業を行っていた。また、花粉収納容器を身に付け、梵天を花粉収納容器から受粉させる花（雌しべ）に運んで行っていた。しかし、このような手作業は作業効率が悪かった。また、受粉作業は、開花時期（開花後２〜３日以内）に行わなければならないことから、その時期は多くの人員を確保しなければならないという問題があった。
さらに、強風の日は、梵天を身に付けた花粉収納容器から受粉させる花（雌しべ）に運ぶまでに、梵天に付着させた花粉のほとんどが風によって吹き飛んでしまい、花粉が無駄に消費されるという問題があった。
【０００３】
上記問題を解消するため、受粉の作業効率を改善する花粉交配機が提供されている（例えば、特許文献１）
【先行技術文献】
【特許文献】
【０００４】
【特許文献１】特開２００２−１１５３４２号公報
【発明の概要】
【発明が解決しようとする課題】
【０００５】
特許文献１の花粉交配機は、長尺の管部材と、その管部材の上端部に花粉を付着させる花粉交配部を備え、管部材の下端部に連通する花粉収容部を備えるものである。花粉収容部の花粉は、モータにより送風され管部材の管内を搬送され花粉交配部に送出される。特許文献１の花粉交配機によると、長尺の管部材とその管部材の上端部に花粉交配部を備えることにより、はしごの乗り降りや梵天への花粉付着が不要となり、作業効率を改善できる。また、花粉は、管部材の管内を通って花粉交配部に搬送されることから、風の影響を受けずに、花粉交配部に花粉を確実に付着させることができ、風による花粉の無駄を防止することができる。なお、上記花粉交配機の花粉交配部は、毛ばたき状に形成されており、その羽根に花粉が付着する。
しかし、特許文献１の花粉交配機は、モータを用いて花粉を送風し運搬するものであることから、花粉収容部から送風される花粉が花粉交配部に送出されるまでにその機器内で詰まる可能性があり、作業が中断されるおそれがある。また、相当量の花粉が花粉交配部に送出されることから、花粉が無駄に消費されるおそれがある。
【０００６】
本発明は、上記問題を解決するものであって、受粉の作業効率を改善するとともに花粉を無駄に消費することを防止する花粉交配機を提供することを目的とするものである。
【課題を解決するための手段】
【０００７】
本発明の花粉交配機は、長尺の作業用柄と、作業用柄の上端部に設ける花粉収納部と、作業用柄に取り付ける受粉用梵天、花粉収納部内の花粉を受粉用梵天上に導出する花粉用導管とを備え、前記花粉用導管の開口部に、振動によって花粉用導管内に貯蔵された花粉を放出する放出口を形成する開閉弁を設けるようにしたものである。
【０００８】
本発明の花粉交配機は、前記花粉交配機に振動発生装置を備え、振動発生装置の振動によって前記放出口を形成するようにしたものである。
また、前記振動発生装置が、振動モータであるようにしたものである。
また、前記振動発生装置が、前記作業用柄にシーソー状に可動する板と、その板の一端を作業用柄に付勢するバネとからなるものであるようにしたものである。
【発明の効果】
【０００９】
本発明の花粉交配機は、その交配機に振動を与え、その振動によって作業用柄の上部に設けた花粉収納部からその下方の受粉用梵天に花粉を落下させるようにしたものである。管部材の下方の花粉収容部から管部材を介して上部の花粉交配部に花粉を送風する特許文献１の花粉交配機と異なり、機器内に花粉が詰まることはなく、作業が中断されることはない。
振動によって花粉収容部から受粉用梵天に落下する花粉は適量なもの又は少量であるため、花粉が無駄に消費されることを防止することができる。また、受粉する花（雌しべ）に受粉用梵天を接触させた状態で振動させることにより、強風時における作業においても花粉の無駄な消費を防止することができる。
【図面の簡単な説明】
【００１０】
【図１】本発明の花粉交配機の構成部を表わす図である。
【図２】図１の花粉交配機の花粉用導管を表わす拡大図である。
【図３】図１の他の花粉用導管の形態を表わす拡大図である。
【図４】図１の花粉交配機の使用状態を表わす図である。
【図５】本発明の花粉交配機の振動発生装置の一例を表わす図である。
【発明を実施するための形態】
【００１１】
本発明は、受粉の際に受粉用梵天に適量の花粉を付着させることを実現するものである。
【実施例】
【００１２】
本発明の花粉交配機を図に基づいて説明する。図１（ａ）は本発明の花粉交配機の構成部を表わす図であり、同図（ｂ）は図（ａ）の花粉収納部内の底部の構造を表わす図である。図２は、図１の花粉用導管の形態を表わす拡大図であり、図（ａ）は、図１の花粉交配機の花粉用導管の開口部を表わす図であり、同図（ｂ）は、花粉用導管の開口部のＡ−Ａ断面図（中央断面図）である。図３は、他の花粉用導管の形態を表わす拡大図であり、図（ａ）は、図１の花粉交配機の花粉用導管の開口部を表わす図であり、同図（ｂ）は、花粉用導管の開口部のＢ−Ｂ断面図（中央断面図）である。
本発明の花粉交配機１０は、長尺の作業用柄１２と、作業用柄１２の上端部に設ける花粉収納部１４、作業用柄１２に取り付ける受粉用梵天１６、花粉収納部１４内の花粉１８を受粉用梵天１６上に導出（又は落下）する花粉用導管２０とを備えるものである。
作業用柄１２は、所定の長さを有する棒状のものであり、受粉作業時に手で保持するものである。作業用柄１２は、長さを調整できる伸縮機能（図示せず）を有するものであってもよい。
【００１３】
花粉収納部１４は、作業用柄１２の上端部（先端部）に設けられている。花粉収納部１４に収納される花粉１８は、花粉収納部１４の底部１４ａに形成される花粉導出孔１４ｂから落下する。花粉導出孔１４ｂは、調整弁１４ｃによってその孔の大きさを調整でき、落下する花粉を適量又は少量に調整することができるようになっている。
【００１４】
受粉用梵天１６は、花粉収納部１４の花粉導出孔１４ｂの下方に位置するように、作業用柄１２に取り付けられている。受粉用梵天１６は、作業用柄１２に着脱可能な状態で取り付けられている梵天取付部材１６ａを介して、作業用柄１２に取付けられる。
【００１５】
花粉用導管２０は、その一端が花粉導出孔１４ｂに連通し、他端（花粉用導管２０の開口部）が受粉用梵天１６上に配置されるように設けられている。花粉導出孔１４ｂから落下する花粉１８は、花粉用導管２０を通じて、受粉用梵天１６の羽毛に付着する。受粉用梵天１６に付着した花粉１８は、受粉用梵天１６が花に接触すると、その雌しべに付着する。
受粉作業の際は、作業用柄１２に取り付ける梵天取付部材１６ａの位置を上下、左右（又は前後）に移動させて、花粉導出孔１４ｂから落下する花粉１８が受粉用梵天１６に確実に付着するように調整する。
【００１６】
また、花粉用導管２０は、その導管２０内に花粉導出孔１４ｂから落下する花粉１８を貯蔵する開閉弁２８ａ，２８ｂを備える（図２、図３）。開閉弁２８ａ，２８ｂは、花粉用導管２０の開口部２０ａを閉じる（又は塞ぐ）ように形成されている。花粉導出孔１４ｂから落下する花粉１８は、花粉用導管２０の開口部２０ａを閉じた状態の開閉弁２８ａ，２８ｂ上に降り積もり、花粉用導管２０から放出されないため、一旦花粉用導管２０の管内に貯蔵される。
【００１７】
図２の開閉弁２８ａの形状は略長形のものであり、図３の開閉弁２８ｂの形状は略円形のものである。図２および図３の開閉弁２８ａ，２８ｂは、花粉用導管２０の開口部２０ａより径小のものであり、開閉弁２８ａ，２８ｂと花粉用導管２０との間に隙間３２が形成され、小さな振動でも花粉１８が放出されやすいようになっている。開閉弁２８ａ，２８ｂの形状又は大きさは、花粉交配機１０に所定の振動を与えた際にその振動により上下に振動し、その振動時に花粉用導管２０内に貯蔵された花粉１８を外部に放出する放出口３０が形成されるように設定する。放出口３０は、開閉弁２８ａ，２８ｂが振動により下方に下がったときに形成される（図２（ｂ）、図３（ｂ））。開閉弁２８ａ，２８ｂの大きさは、放出口３０を形成するものであれば足り、開口部２０ａと同大もしくは径大のものであっても良い。
【００１８】
花粉用導管２０および開閉弁２８ａ，２８ｂの素材は、花粉１８が付着しないものを選択する。例えば、結露を生じる素材（例えば、金属製のもの）は使用しない。
【００１９】
花粉交配機１０に手や道具（木槌など）を用いて所定の振動を与えると、その振動により開閉弁２８ａ，２８ｂが上下に振動する（図２（ｂ）、図３（ｂ））。開閉弁２８ａ，２８ｂの振動により放出口３０が形成され、導管２０内の花粉１８が受粉用梵天１６上に適量又は少量落下し、梵天１６の羽毛に付着する。
【００２０】
本発明の花粉交配機による受粉作業を図４に基づいて説明する。図４は、図１の花粉交配機の使用状態を表わす図である。
花粉収納部１４には、雌しべに受粉させる花粉１８に石松子（ピンクに染色された花粉増量剤）を混合したものを収納する。花粉導出孔１４ｂは、花粉交配機１０が振動する際適量又は少量の花粉１８が落下するような大きさに調整弁１４ｃを用いて設定する。
作業用柄１４を保持し、花粉交配機１０に振動を与え、花粉用導管２０内の花粉１８を放出口３０から受粉用梵天１６上に放出・落下させ、白色の梵天（羽毛の色は白である。）が花粉１８の付着によりピンク色に変色したことを確認する。ピンク色になった受粉用梵天１６を受粉させる花（又は雌しべ）に接触させ、受粉作業を行う。花一つ一つに接触作業（受粉作業）を続け、梵天が白色に変色したとき、再度花粉交配機１０に振動を与え、花粉用導管２０内の花粉１８を放出口３０から受粉用梵天１６上に放出・落下させる。このように、本発明によると、花粉交配機１０に振動を与えることで、受粉用梵天１６に容易に花粉１８を供給することができる。
【００２１】
花粉交配機１０に、振動発生装置である振動モータ２４を取り付けてもよい（図１および図４）。
強風の際は、受粉させる花（雌しべ）に受粉用梵天１６を接触させた状態で、花粉交配機１０に振動を与える。これにより、風によって花粉１８が無駄に消費されることを防止することができる。しかし、受粉用梵天１６を接触させた状態で花粉交配機１０に大きな振動を与えると、花を傷める可能性がある。そのため、花粉１８を放出口３０から適量又は少量の花粉１８を放出するために必要な振動を発生する振動モータ２４を花粉交配機１０に取り付ける。
振動モータ２４は、そのシャフトの先端部に分銅が偏って取り付けられたものである（図示せず）。モータが回転すると振動し、花粉交配機１０を振動させる。振動モータ２４は、振動を発生して着信を知らせる携帯電話機のバイブレーター等として利用されているものであり、公知のものである。
振動モータ２４の取付場所は、振動モータ２４の振動によって放出口３０を形成する場所、すなわち開閉弁２８ａ，２８ｂを振動させることができる場所であれば、花粉交配機１０のどの位置（例えば、作業用柄１２の下部、花粉収納部１４又は花粉用導管２０等）に取り付けても良い。また、振動モータ２４の大きさ、振動の強さに応じて、取付場所を選択する。
【００２２】
図１において、振動モータ２４は作業用柄１２の上部に取り付けられている。作業用柄１２のグリップ部１２ａ（柄１２の下部部分）には、振動モータ２４を回転させるスイッチ２６と電源（電池）２８が設けられている。スイッチ２６は、電源２８と振動モータ２４の給電端子（図示せず）との接続をオン・オフするものであり、スイッチ２６をオンにすると、振動モータ２４が回転し、花粉交配機１０が振動するようになっている。なお、スイッチ２６および電源２８は、グリップ部１２ａ以外の作業用柄１２に設けても良い。
【００２３】
また、花粉交配機１０の作業用柄１２にシーソー状に可動する板３４を設け、その板３４の一端３４ａを作業用柄１２にバネ３６で付勢した振動発生装置３８を取り付けてもよい（図５）。振動発生装置３８は、板３４の一端３４ａが作業用柄１２に衝撃を与えるものであり、その衝撃により花粉交配機１０に振動が発生する。図５において、板３４の他端３４ｂを指で作業用柄１２の方向（矢印Ｃ）に押すと、作業用柄１２に当接した状態の板３４の一端３４ａが作業用柄１２から離れる（矢印Ｄ）。板３４の他端３４ｂから指を離すと、バネ３６の付勢により板３４の一端３４ａは作業用柄１２に衝突し、花粉交配機１０に振動を発生させる。なお、振動発生装置３８は、板３４のほぼ中心を支点としてシーソー状に可動するものであり、支点部分は作業用柄１２に設ける軸３４ｃに回動自在に取り付けられている。
振動モータ２４は電池を電源とするものであるため、電池切れになると作業が中断される。受粉作業は期間が限られており、その期間も短いことから、作業の中断は作業効率を低下させる原因となる。電動の振動モータ２４に代えて振動発生装置３８を取り付けることにより、作業効率を高めることができる。
【００２４】
本発明において、振動モータ２４と振動発生装置３８とを併用して使用してもよい。また、花粉交配機１０に取り付ける振動発生装置は、上例の振動モータ２４、振動発生装置３８に限るものではなく、他のものであってもよい。
【符号の説明】
【００２５】
１０  花粉交配機
１２  作業用柄
１４  花粉収納部
１６  受粉用梵天
１８  花粉
２０  花粉用導管
２４  振動モータ
２８  開閉弁
３０  放出口
３４  板
３６  バネ
３８  振動発生装置
【図１】
2013034427.tif 000003
【図２】
2013034427.tif 000004
【図３】
2013034427.tif 000005
【図４】
2013034427.tif 000006
【図５】
2013034427.tif 000007